(57)【要約】網のフィラメント内に組み込まれた導電性ワイヤを有する養魚場網。導電性ワイヤは回路内に配置されていて、各回路はフィールドのある電気的パラメータを監視する電子装置に接続しているフィールドを形成する。各回路のワイヤはあるパターンに配置されていて、それにより魚が逃げ出すことができるほど大きな穴ができた場合に、上記ワイヤの中の１本が必ず破損するような十分に狭い間隔で配置されている。回路が破損すると、上記監視装置は、監視中の電気的パラメータの変化を検出し、適当な警報を発する。【選択図】図１
2004530445.tif 000002
【特許請求の範囲】
【請求項１】
魚を収容するための囲いを形成するために一緒に接合された複数の網部分を備える養魚施設で有用な保持網であって、前記網部分が一緒に織られた複数のフィラメントから作られている網形成材料からできていて、
複数の導電性フィラメントが、魚が十分逃げ出すことができるだけの大きさの破損個所が網部分にできると、必ず前記導電性フィラメントの中の１つまたはそれ以上が破損するように網目間隔が十分に狭い網形成材料に織り込まれることと、
特定の網部分内の前記導電性フィラメントが、各網部分内に１つまたはそれ以上の電界を形成するために一緒に接続されていることと、
前記各電界が、電力源、および導電性フィラメントが破損した場合に前記電界内の１つまたはそれ以上の電気的パラメータの変化を検出することができる監視デバイスに接続されていることと、
前記監視デバイスに接続されている、所定の値の範囲を超えて電気的パラメータが変化した場合に警報を発する警報装置とを特徴とする保持網。
【請求項２】
前記導電性フィラメントが、一定の間隔で通常のフィラメントの代わりに導電性フィラメントを使用することにより前記網形成材料に織り込まれていることと、前記網部分内の前記電界が、所定の形状および大きさを有する一定のパターンで前記網部分を前後に横切る連続している導体を形成するために、前記導電性フィラメントの交互の端部を一緒に接続することにより形成されることとを特徴とする、請求項１に記載の網。
【請求項３】
前記接続フィラメントの交互の端部が、導体を前記網形成材料の中間の通常のフィラメントに縫合することにより相互に接続されていることを特徴とする、請求項２に記載の網。
【請求項４】
前記電力源の正の端子に接続している共通の電気リード線が、前記保持網の隣接する網部分の間に固定されていて、前記連続している導体の一方の端部が、前記共通のリード線に接続されていて、前記連続している導体の他方の端部が、前記電力源の負の端子に接続されていることを特徴とする、請求項３に記載の網。
【請求項５】
犠牲アノードが、前記導電性フィラメントの腐食を防止するために前記電界に接続されていることを特徴とする、請求項４に記載の網。
【請求項６】
抵抗が監視対象の前記電気的パラメータであることを特徴とする、請求項５に記載の網。
【請求項７】
前記監視デバイスが一定の時間間隔で前記電界の両端の電圧を測定し、現在の値を前の値と比較することと、連続して測定した電圧値の違いが所定の値を超えた場合に、警報装置がトリガされることとを特徴とする、請求項６に記載の網。
【請求項８】
前記監視デバイスが一定の時間間隔で前記電界の両端の電圧を測定することと、測定した電圧値が所定の範囲を超えた場合に、前記警報装置がトリガされることとを特徴とする、請求項６に記載の網。
【請求項９】
前記電界に印加される電圧が、前記保持網内の魚に悪影響を与えないほど十分に低いことを特徴とする、請求項７または８に記載の網。
【請求項１０】
前記電界に印加される電圧が３０Ｖを超えないことを特徴とする、請求項７または８に記載の網。
【請求項１１】
魚が逃げるのを検出し、防止するために養魚保持網を監視するための方法であって、前記網が魚を収容するための囲いを形成するために一緒に接合されている複数の網部分からなり、前記網部分が織られたフィラメントからなるバルク網形成材料からできており、
ある網部分に魚が逃げ出すことができるほど大きな破損個所ができた場合に、必ず導電性フィラメントが破損し、それにより監視中の前記電気的パラメータを変化させ、警報をトリガするように、前記織りプロセス中に一定の間隔で通常のフィラメントの代わりに導電性フィラメントを使用することにより前記網形成材料を製造するステップであって、前記間隔が、魚が十分逃げ出すことができるだけの大きな破損個所が網部分にできると、必ず前記導電性フィラメントの中の１つまたはそれ以上が破損するように、十分に網目が細かくなるように前記導電性フィラメントの間隔を選択するステップと、
前記バルク網形成材料から前記網部分を切断し、それにより前記網部分の縁部に沿ってフィラメント端部を露出させるステップと、
１つまたはそれ以上のフィールドを形成するために前記網部分を横切って前後に横断する１つまたはそれ以上の連続している導体を形成するために、前記導電性フィラメントの交互の端部を一緒に電気的に接続し、各連続している導体が第１および第２の端部を有するステップと、
連続している各導体の第１の端部を電力源の正の端子に接続するステップと、
連続している各導体の第２の端部を電力源の負の端子に接続するステップと、
前記連続している導体の両端の１つまたはそれ以上の電気的パラメータを監視するステップと、
監視中の前記電気的パラメータが所定の値だけ変化した場合にトリガされる警報を供給するステップとを特徴とする方法。
【請求項１２】
前記導電性フィラメントの交互の端部が、１本の導体を前記中間の通常のフィラメント内に縫合することにより接続されていることを特徴とする、請求項１１に記載の方法。
【請求項１３】
前記導電性フィラメントが、テフロン（登録商標）または他の適当なコーティングによりコーティングされていることを特徴とする、請求項１２に記載の方法。
【請求項１４】
海水内での腐食を防止するために、犠牲アノードが前記連続している導体に接続されていることを特徴とする、請求項１３に記載の方法。
【請求項１５】
抵抗が監視対象の前記電気的パラメータであることを特徴とする、請求項１４に記載の方法。
【発明の詳細な説明】
【技術分野】
【０００１】
本発明は、養魚施設で使用する網に関し、特に上記網の穴または破損個所を検出し、その位置を発見するための電子手段を有する保持網に関する。
【背景技術】
【０００２】
養魚施設は、通常、魚を収容するための大型の保持網を備える。このような施設に関連する共通の問題は、網に時々できる穴または破損個所である。このような穴または破損個所が検出されないと、多数の魚が逃げる恐れがある。穴も破損個所も施設の経営者にとって経済的な問題でもあり、環境上の問題でもある。逃げ出した魚は、野生の品種と競合し、多くの場合、野生の品種の生存を脅かしたり、最悪の場合には絶滅させる恐れがある。
【発明の開示】
【発明が解決しようとする課題】
【０００３】
現在のところ、このような穴および破損個所を直ちに検出し、その位置を発見する有効な方法はない。それ故、このような穴または破損個所の正確な位置を直ちに検出し、警報を発するシステムの開発が待望されている。
【課題を解決するための手段】
【０００４】
本発明は、網のフィラメント内に組み込まれた導電性ワイヤを有する養魚網を備える。導電性ワイヤは回路内に配置されていて、各回路は、フィールドのある電気的パラメータを監視する電子装置に接続しているフィールドを形成している。各回路のワイヤは、あるパターンに配置されていて、魚が逃げることができる大きさの穴が必ずワイヤの中の１本を切断するような十分に狭い間隔で配置されている。回路が破損すると、監視装置が監視中の電気的パラメータの変化を検出し、適当な警報を発する。それ故、穴または破損個所を直ちに検出することができ、特定のフィールドを発見することができる。
【０００５】
所定の長さおよび構成の連続している導体を形成するために相互に接続されている複数の内蔵型導電性ワイヤを有する網を形成するための方法も記載されている。
【０００６】
図面を参照しながら本発明を以下に詳細に説明する。
【発明を実施するための最良の形態】
【０００７】
図１は、養魚施設の典型的な保持網２０である。このタイプの保持網は、一緒に接合されている複数の網部分２２からなる。保持網は円錐形にすることもできる。このタイプの網は、倒立円錐を形成するために一緒に接合されているいくつかの三角形の網部分からなる。
【０００８】
網部分２２は、織物機械により製造される。織物機械により製造された網は格子状の編み目構成を有しているように見えるが、網は、実際には図２をよく見れば分かるように、網を斜めに横切るナイロン・フィラメント２４からできている。
【０００９】
本発明の場合には、所定の数のナイロン・フィラメント２４の代わりに導電性フィラメント２６を使用する。好ましい実施形態によれば、導電性フィラメント２６は、耐酸性の鋼繊維の糸またはフィラメント製造プロセスにより他の方法で作られた普通のナイロン・フィラメント２４に紡まれた他の適当な導体２８を備える。導体２８は、紡績プロセスの要件により、例えば、テフロン（登録商標）でコーティングしてあってもコーティングしてなくてもよい。約２５ｍｍの編み目の大きさを有する網の場合には、好適には、三番目ごとの各フィラメント２４の代わりに導電性フィラメント２６を使用することが好ましい。
【００１０】
製造プロセスの一部として、網部分２２は、バルク網材料から切り離され、その結果、図３に示すように、何本かの個々の対角線の長さの導電性フィラメント２６ができる。円錐網の場合には、もちろん、これらの部分は三角形になる。本発明によれば、これらの別々の長さの導電性フィラメント２６は、図４に示すような特定のパターンを有する連続している導体を形成するために、スプライス３０（鎖線で示す）により相互に直列に接続されている。好ましい実施形態によれば、各網部分２２は、それぞれがフィールド３２を形成している複数の上記連続している導体を備える。
【００１１】
本発明の好ましい実施形態によれば、スプライス３０は、導体２８の長さを、図５に示すように、ナイロン・フィラメント２４の中間セグメントに縫合することにより形成される。個々の長さの導電性フィラメント２６間の導電接続を形成するための他の適当な手段も使用することができる。
【００１２】
図６、図７、図８および図９に示すように、網部分２２（この図では、３２’、３２”、３２”’等で示すフィールドを含む）は、電力源３４およびフィールドの特定の電気的パラメータを監視するためのシステムに接続されている。
【００１３】
図６および図７に示すように、絶縁した共通の正のリード線３６は、隣接するペアの網部分２２のフィールドを電力源３４の正の端子に接続されている。別々の絶縁された負のリード線３８は、個々の各フィールドを電力源３４の負の端子に接続されている。リード線３６および３８は、好適には、海水中での電気化学反応を防止するために導体２８と同じ材料から作ることが好ましい。表面上で、リード線を、図７に示すように、密封したカップリング４２により銅の導体４０に接続することができる。
【００１４】
好ましい実施形態の場合には、監視対象の電気的パラメータはフィールドの抵抗である。図８は監視装置の一例の略図である。電力源３４は、各フィールド３２の両端にある電圧をかける。好適には、電圧の値は魚が悪影響を受けないような十分低いものであることが好ましい。実験により電圧は３０Ｖを超えないようにすべきであることが分かっている。各フィールド３２は、基準抵抗４４に直列に接続されている。小規模の実試験では１００Ωの抵抗を使用した。この例の場合には、類似の入出力モジュール４６を基準抵抗４４の両端に接続した。プログラム可能論理制御装置４８が、抵抗の両端の電圧を測定し、システムは、好適にはコンピュータ５０により制御することが好ましい。
【００１５】
監視システムが、ある一定の時間間隔（この例の場合は、５秒毎）でフィールドの両端の電圧を測定し、その値を前に測定した値と比較する。その違いが、例えば、２０％より大きい場合には警報がトリガされる。これにより導電性フィラメント２６の中の１つの突然の破損が検出される。さらに、監視システムは、測定した電圧値が所定の最小値と最大値の範囲内に位置しているかどうかを記録する。これらの値は、温度、塩分濃度等による電圧の自然の変動を考慮に入れる。こうすることにより、ある時間の間に徐々に発生する破損を検出することができる。すべての測定値は一定の時間間隔で記録される。
【００１６】
海水内に位置する導体は、時間の経過中に点食を起こしたり、腐食したりする。それ故、本発明は、図９に示すように、正の端子に接続している犠牲アノード５２を含む。図１０は、アノード５２に対する別の配置を示す。手すりおよび鋼製歩道のような他の導電性構造も、システムへの電流の分配との干渉を防止するためにアノードに接続すべきである。
【００１７】
上記システムのもう１つの利点は、導電性フィラメントが生成する電界が、海洋生物が網上に堆積するのを防止／低減することである。
【図面の簡単な説明】
【００１８】
【図１】養魚施設の保持網の斜視図である。
【図２】導電性フィラメントを形成するためにナイロン・フィラメント内に組み込まれている導電性ワイヤの詳細図である。
【図３】太線で示す導電性フィラメントを含む斜めの織りパターンを示す網の一部の略図である。
【図４】連続している導体を形成するための網部分の個々の導電性フィラメント間の接続を示す詳細図である。
【図５】縫合することにより導電性フィラメント間に形成されたスプライスを示す斜視図である。
【図６】それぞれが正および負のリード線に接続しているフィールドを含む複数の網部分の略図である。
【図７】網部分に形成されている連続している導体の一方の端部とリード線との間の接続を示す詳細図である。
【図８】電圧源および監視装置に接続しているフィールドの略図である。
【図９】腐食防止装置の略図である。
【図１０】腐食防止装置のアノード用の他の設置を示す斜視図である。
【国際公開パンフレット】
2004530445.tif 000003
2004530445.tif 000004
2004530445.tif 000005
2004530445.tif 000006
2004530445.tif 000007
2004530445.tif 000008
2004530445.tif 000009
2004530445.tif 000010
2004530445.tif 000011
2004530445.tif 000012
2004530445.tif 000013
2004530445.tif 000014
2004530445.tif 000015
2004530445.tif 000016
【国際調査報告】
2004530445.tif 000017
2004530445.tif 000018